(57)【特許請求の範囲】
【請求項１】
音声信号を入力する複数の入力チャンネルを備えた音声信号入力手段と、
前記複数の入力チャンネルの中の任意の入力チャンネルを指定する入力チャンネル指定手段と、
音声信号を出力する複数の出力チャンネルを備えた音声信号出力手段と、
前記複数の出力チャンネルの中の任意の出力チャンネルを指定する出力チャンネル指定手段と、
前記複数の入力チャンネルと前記複数の出力チャンネルとを接続する前記出力チャンネルよりも少ない数の信号伝達経路と、
前記入力チャンネル指定手段により指定された入力チャンネルを１つまたは複数の信号伝達経路に接続可能な入力接続手段と、
前記出力チャンネル指定手段により指定された出力チャンネルをいずれか１つの信号伝達経路に接続可能な出力接続手段と、
前記複数の出力チャンネルのいずれにも接続されていない未使用の信号伝達経路を選択する未使用伝達経路選択手段と、
前記出力チャンネル指定手段によっていずれか１つの出力チャンネルが指定されるとともに前記入力チャンネル指定手段によっていずれか１つの入力チャンネルが指定されたとき、該出力チャンネルがいずれかの信号伝達経路と接続されている場合には該入力チャンネルを該信号伝達経路と接続するよう入力接続手段を制御し、該出力チャンネルがいずれの信号伝達経路とも接続されていない場合には前記未使用伝達経路選択手段により未使用の信号伝達経路を選択して該信号伝達経路を該出力チャンネルと接続するよう出力接続手段を制御するとともに該信号伝達経路を該入力チャンネルと接続するよう入力接続手段を制御する制御手段と
を有することを特徴とするミキサー。
【請求項２】
請求項１に記載のミキサーにおいて、
前記複数の入力チャンネルの中の任意の入力チャンネルを指定する入力チャンネル指定操作子と、
前記複数の出力チャンネルの中の任意の出力チャンネルを指定する出力チャンネル指定操作子と
を備え、
前記制御手段は、いずれかの信号伝達経路と接続されている出力チャンネルのうちいずれか１つの出力チャンネルが前記出力チャンネル操作子によって指定されているとき、前記入力チャンネル指定操作子によっていずれか1つの入力チャンネルを指定することに応じて、該入力チャンネルと該信号伝達経路の接続と非接続を交互に切り換えるよう入力接続手段を制御する
ことを特徴とするミキサー。
【発明の詳細な説明】
【０００１】
【発明の属する技術分野】
本発明は、ミキサーに関し、さらに詳細には、ミキサー内部における音声信号伝達経路の選択の自由度を向上させたミキサーに関する。
【０００２】
【従来の技術】
従来のミキサーにおいて、複数の入力チャンネルに入力された音声信号をミックスして任意の出力チャンネルに出力する際に、例えば、８個の入力チャンネル（ＩＮ）１〜８に入力された音声信号を自由にミックスして４個の出力チャンネル（ＯＵＴ）１〜４にアサインする（割り当てる）場合の回路構成としては、例えば、図１に示すようになる。
【０００３】
即ち、入力チャンネル１と入力チャンネル３とをミックスして出力チャンネル２に出力しようとする場合には、バス・セレクト・スイッチｉ１２とバス・セレクト・スイッチｉ３２とをオンにすることにより、入力チャンネル１と入力チャンネル３とをミックスして出力チャンネル２に出力する信号伝達経路の選択がなされる。
【０００４】
従って、図１に示すような回路構成を備えたミキサーによれば、複数の入力チャンネル間における音声信号のミックスの組み合わせと当該ミックスされた音声信号のそれぞれの出力チャンネルとの選択を、マトリックス状に設けられたバスを接続するバス・セレクト・スイッチｉ１１〜ｉ８４のオン／オフにより自由に選択することができるものである。
【０００５】
しかしながら、図１に示すような回路構成を備えたミキサーにおいては、出力チャンネルを増やそうとすると、出力チャンネルの増分と入力チャンネルの数とを乗算した数のバス・セレクト・スイッチのマトリックスが必要となり、回路規模が大きくなるという問題点があった。
【０００６】
また、一般には、全ての出力チャンネルに音声信号を同時に出力することは稀であるので、全てのバスを同時に使用することはほとんどなく、多くの回路が遊休化して無駄になるという問題点があった。
【０００７】
一方、同時に出力可能な出力チャンネルの数を制限することにより、バスの数を制限して回路規模の大型化を抑制した回路構成として、例えば、図２に示すように、８個の入力チャンネル（ＩＮ）１〜８と、８個の出力チャンネル（ＯＵＴ）１〜８と、４つのバス（ＢＵＳ）１〜４とで構成するものがある。
【０００８】
即ち、図２に示す回路構成においては、複数の出力チャンネルを１つのバスに固定的に接続することにより、出力チャンネルが増大しても回路規模が大きくならないようにしている。
【０００９】
しかしながら、図２の回路構成においては、例えば、出力チャンネル１と出力チャンネル５とに互いに異なる別々の音声信号を出力することができないという制限があり、ミックスされた音声信号を出力する出力チャンネルの選択の自由度が制限されるという問題点があった。
【００１０】
【発明が解決しようとする課題】
本発明は、上記したような従来の技術の有する種々の問題点に鑑みてなされたものであり、その目的とするところは、信号伝達経路の数を出力チャンネルの数より少なくし、かつ、信号伝達経路と出力チャンネルとの接続を自由に行えるようにして、ミキサー内部における音声信号伝達経路の選択の自由度を向上させるとともに、ミキサー内部における信号伝達経路のなかで未使用のものを自動的に選択するようにして、信号伝達経路の選択の自由度を制限することなく、しかも信号伝達経路の選択の際の操作性を向上させたミキサーを提供しようとするものである。
【００１１】
【課題を解決するための手段】
上記目的を達成するために、本発明のうち請求項１に記載の発明は、音声信号を入力する複数の入力チャンネルを備えた音声信号入力手段と、上記複数の入力チャンネルの中の任意の入力チャンネルを指定する入力チャンネル指定手段と、音声信号を出力する複数の出力チャンネルを備えた音声信号出力手段と、上記複数の出力チャンネルの中の任意の出力チャンネルを指定する出力チャンネル指定手段と、上記複数の入力チャンネルと上記複数の出力チャンネルとを接続する上記出力チャンネルよりも少ない数の信号伝達経路と、上記入力チャンネル指定手段により指定された入力チャンネルを１つまたは複数の信号伝達経路に接続可能な入力接続手段と、上記出力チャンネル指定手段により指定された出力チャンネルをいずれか１つの信号伝達経路に接続可能な出力接続手段と、上記複数の出力チャンネルのいずれにも接続されていない未使用の信号伝達経路を選択する未使用伝達経路選択手段と、上記出力チャンネル指定手段によっていずれか１つの出力チャンネルが指定されるとともに上記入力チャンネル指定手段によっていずれか１つの入力チャンネルが指定されたとき、該出力チャンネルがいずれかの信号伝達経路と接続されている場合には該入力チャンネルを該信号伝達経路と接続するよう入力接続手段を制御し、該出力チャンネルがいずれの信号伝達経路とも接続されていない場合には上記未使用伝達経路選択手段により未使用の信号伝達経路を選択して該信号伝達経路を該出力チャンネルと接続するよう出力接続手段を制御するとともに該信号伝達経路を該入力チャンネルと接続するよう入力接続手段を制御する制御手段とを有するようにしたものである。
【００１２】
また、本発明のうち請求項２に記載の発明は、本発明のうち請求項１に記載の発明において、上記複数の入力チャンネルの中の任意の入力チャンネルを指定する入力チャンネル指定操作子と、上記複数の出力チャンネルの中の任意の出力チャンネルを指定する出力チャンネル指定操作子とを備え、上記制御手段は、いずれかの信号伝達経路と接続されている出力チャンネルのうちいずれか１つの出力チャンネルが上記出力チャンネル操作子によって指定されているとき、上記入力チャンネル指定操作子によっていずれか1つの入力チャンネルを指定することに応じて、該入力チャンネルと該信号伝達経路の接続と非接続を交互に切り換えるよう入力接続手段を制御するようにしたものである。
【００１４】
【発明の実施の形態】
以下、添付の図面を参照しながら、本発明によるミキサーの実施の形態の一例を詳細に説明する。
【００１５】
図３には、本発明によるミキサーの実施の形態の一例を備えた楽音信号記録装置の全体構成を表すブロック構成図が示されている。
【００１６】
この楽音信号記録装置は、その全体の動作の制御を中央処理装置（ＣＰＵ）１０を用いて制御するように構成されており、このＣＰＵ１０には、バス１１を介して、添付のフローチャートを参照しながら後述するＣＰＵ１０が実行する各種処理のためのプログラムを記憶したリード・オンリ・メモリ（ＲＯＭ）１２と、ワーキング・エリアとしてのランダム・アクセス・メモリ（ＲＡＭ）１４と、ミキサー部１６と、レコーダー部１８と、操作パネル２０とが接続されている。
【００１７】
ここで、ミキサー部１６の構成を概念的に示した図４を参照しながら、ミキサー部１６を詳細に説明すると、ミキサー部１６は８個の入力チャンネル（ＩＮ）１〜８を備え、これら入力チャンネル１〜８に入力された音声信号をボリュームおよび入力アンプを介して内部バス（ＢＵＳ）１〜４に取り込むようになされている。ここで、バス・セレクト・スイッチｉ１１〜ｉ８４ならびに選択スイッチＳＥＬ１〜ＳＥＬ８により内部バス１〜４を選択して、選択した内部バス１〜４に取り込んだ音声信号を供給することにより当該音声信号を自由にミックスして８個の出力チャンネル（ＯＵＴ）１〜８に自由にアサインする（割り当てる）ことができるようになされている。
【００１８】
なお、本発明のポイントは、ミキサー部１６における内部バス１〜４の選択処理にあり、フローチャートを参照しながら後に詳述する。
【００１９】
そして、出力チャンネル１〜８は、レコーダー部１８の８個のトラック（ＴＲ）１〜８と１対１の関係で対応付けられている。即ち、出力チャンネル１から出力された音声信号はトラック１に出力され、出力チャンネル２から出力された音声信号はトラック２に出力され、出力チャンネル３から出力された音声信号はトラック３に出力され、出力チャンネル４から出力された音声信号はトラック４に出力され、出力チャンネル５から出力された音声信号はトラック５に出力され、出力チャンネル６から出力された音声信号はトラック６に出力され、出力チャンネル７から出力された音声信号はトラック７に出力され、出力チャンネル８から出力された音声信号はトラック８に出力されることになる。
【００２０】
そして、レコーダー部１８のトラック１〜８から出力された音色信号は、出力アンプおよびボリュームを介してＬ（左）チャンネルとＲ（右）チャンネルとにステレオ出力として出力されるものである。
【００２１】
図５には、操作パネル２０の中の本発明に係わる部分の概略構成が示されており、操作パネル２０には、各入力チャンネル１〜８のボリュームを調整するための操作子たる入力チャンネル１ボリューム操作子１００−１、入力チャンネル２ボリューム操作子１００−２、入力チャンネル３ボリューム操作子１００−３、入力チャンネル４ボリューム操作子１００−４、入力チャンネル５ボリューム操作子１００−５、入力チャンネル６ボリューム操作子１００−６、入力チャンネル７ボリューム操作子１００−７および入力チャンネル８ボリューム操作子１００−８と、音声信号をミキシングする対象の入力チャンネル１〜８を指定する操作子たる入力チャンネル１指定操作子１０２−１、入力チャンネル２指定操作子１０２−２、入力チャンネル３指定操作子１０２−３、入力チャンネル４指定操作子１０２−４、入力チャンネル５指定操作子１０２−５、入力チャンネル６指定操作子１０２−６、入力チャンネル７指定操作子１０２−７および入力チャンネル８指定操作子１０２−８と、ミキシングした音声信号を出力する対象たる出力チャンネル１〜８、即ち、ミキシングした音声信号を記録する対象のトラック１〜８を指定するとともに各トラック１〜８の状態（「トラックへの入力：ｓｏｕｒｃｅ」、「トラックへの記録（録音）：ｒｅｃ」、「トラックの再生：ｐｌａｙ」および「トラックのミュート：ｍｕｔｅ」の４つの状態）を選択するための操作子たるトラック１指定操作子１０４−１、トラック２指定操作子１０４−２、トラック３指定操作子１０４−３、トラック４指定操作子１０４−４、トラック５指定操作子１０４−５、トラック６指定操作子１０４−６、トラック７指定操作子１０４−７およびトラック８指定操作子１０４−８と、レコーダー部の各トラック１〜８の出力ボリュームを調整するための操作子たるトラック１ボリューム操作子１０６−１、トラック２ボリューム操作子１０６−２、トラック３ボリューム操作子１０６−３、トラック４ボリューム操作子１０６−４、トラック５ボリューム操作子１０６−５、トラック６ボリューム操作子１０６−６、トラック７ボリューム操作子１０６−７およびトラック８ボリューム操作子１０６−８と、各種設定をキャンセルするためのクリアー（ＣＬＲ）操作子１０８とが設けられている。
【００２２】
そして、入力チャンネル１指定操作子１０２−１〜入力チャンネル８指定操作子１０２−８を押圧操作している間は各操作子はオン（ｏｎ）の値をとり、押圧操作していない間は（ｏｆｆ）の値をとる。
【００２３】
同様に、トラック１指定操作子１０４−１〜トラック８指定操作子１０４−８を押圧操作している間は各操作子はオン（ｏｎ）の値をとり、押圧操作していない間はオフ（ｏｆｆ）の値をとり、クリアー操作子１０８を押圧操作している間はクリアー操作子１０８はオン（ｏｎ）の値をとり、押圧操作していない間はオフ（ｏｆｆ）の値をとる。
【００２４】
また、この楽音信号記録装置の状態を示すパラメータとしては、ユーザーが確認可能なパラメータとして「ＴＲ（Ｎ）」、「Ｇ（Ｍ）」および「ｉ（Ｍ，Ｋ）」が設定され、ユーザーが確認することのできないパラメータとして「ＳＥＬ（Ｎ）」が設定されている。以下、上記した各パラメータを説明する。なお、本明細書においては、「Ｎ」は出力チャンネルのトラック番号を示すために１〜８の自然数の値をとる変数であり、「Ｍ」は入力チャンネルのトラック番号または出力チャンネルのトラック番号を示すために１〜８の自然数の値をとる変数であり、「Ｋ」は内部バスのバス番号を示すために１〜４の自然数の値をとる変数である。
【００２５】
（１）ＴＲ（Ｎ）
取り得る値は、「トラックへの入力：ｓｏｕｒｃｅ」、「トラックへの記録（録音）：ｒｅｃ」、「トラックの再生：ｐｌａｙ」および「トラックのミュート：ｍｕｔｅ」の４つである。ここで、「トラックへの記録（録音）：ｒｅｃ」および「トラックの再生：ｐｌａｙ」はトラックＮにおけるレコーダー部１８の動作状態を示すものであり、「トラックへの入力：ｓｏｕｒｃｅ」および「トラックのミュート：ｍｕｔｅ」はトラックＮに関するミキサー部１６の出力状態を示すものである。トラック１指定操作子１０４−１〜トラック８指定操作子１０４−８を単独で押し下げ押し上げ（１回押し下げてから元の状態に復帰させる。）すると、ＴＲ（Ｎ）の値が「ｓｏｕｒｃｅ→ｒｅｃ→ｐｌａｙ→ｍｕｔｅ→ｓｏｕｒｃｅ・・・・」の順番でサイクリックに変化する。
【００２６】
ここで、「ｓｏｕｒｃｅ」とは、ＳＥＬ（Ｎ）により選択された内部バスの信号を受け取りトラックの出力とするが、それをトラックへは録音しない状態を示す。
【００２７】
また、「ｒｅｃ」とは、ＳＥＬ（Ｎ）により選択された内部バスの信号を受け取りトラックの出力とするとともに、それをトラックへ録音する状態を示す。
【００２８】
また、「ｐｌａｙ」とは、内部バスの信号は受け取らずに、トラックに録音されている信号をトラックの出力とする状態を示す。
【００２９】
また、「ｍｕｔｅ」とは、内部バスの信号は受け取らずに、しかもトラックの出力へは何も信号を送らない状態を示す。
【００３０】
（２）Ｇ（Ｍ）
入力チャンネルＭのゲインを示し、ライン（ｌｉｎｅ）とマイク（ｍｉｃ）との値をとる。入力チャンネル１指定操作子１０２−１〜入力チャンネル８指定操作子１０２−８を単独で押し下げ押し上げすると、Ｇ（Ｍ）の値がライン（ｌｉｎｅ）とマイク（ｍｉｃ）とで交互に変化する。
【００３１】
（３）ｉ（Ｍ，Ｋ）
入力チャンネルＭと内部バスＫとの交点に位置するバス・セレクト・スイッチを示し、オン（ｏｎ）とオフ（ｏｆｆ）との値をとる。オンの場合入力チャンネルＭの音声信号を内部バスＫに加え、オフの場合入力チャンネルＭの音声信号を内部バスＫに加えない。なお、ユーザーからは、入力チャンネルＭの音声信号がどの内部バスＫに加えられているかは分からないが、出力チャンネルのトラックＮにいずれの入力チャンネルＭの音声信号が供給されているかはわかるようになっている。
【００３２】
（４）ＳＥＬ（Ｎ）
トラックＮの選択スイッチを示し、取り得る値は、「オフ（ｏｆｆ）」、「１」、「２」、「３」および「４」である。
【００３３】
なお、トラック１指定操作子１０４−１〜トラック８指定操作子１０４−８は、ＬＥＤ内蔵自照式押圧操作子であり、「ＴＲ（Ｎ）＝ｓｏｕｒｃｅ」のときに橙色に発光し、「ＴＲ（Ｎ）＝ｒｅｃ」のときに赤色に発光し、「ＴＲ（Ｎ）＝ｐｌａｙ」のときに緑色に発光し、「ＴＲ（Ｎ）＝ｍｕｔｅ」のときに消灯する。
【００３４】
また、入力チャンネル１指定操作子１０２−１〜入力チャンネル８指定操作子１０２−８も、トラック１指定操作子１０４−１〜トラック８指定操作子１０４−８と同様にＬＥＤ内蔵自照式押圧操作子であり、何も操作されていない状態では、「Ｇ（Ｍ）＝ｌｉｎｅ」のときに赤色に発光し、「Ｇ（Ｍ）＝ｍｉｃ」のときに緑色に発光する。
【００３５】
そして、トラックＮ指定操作子（１０４−１〜１０４−８）を押し下げている状態では、入力チャンネルＭに対応する入力チャンネル１指定操作子１０２−１〜入力チャンネル８指定操作子１０２−８のＬＥＤは、トラックＮに音声信号を供給している内部バスＫがある場合には、「ｉ（Ｍ，Ｋ）＝ｏｎ」のときには橙色発光し、「ｉ（Ｍ，Ｋ）＝ｏｆｆ」のときには消灯する。
【００３６】
そこで、ＴＲ（Ｎ）の値がｍｕｔｅからｓｏｕｒｃｅへ変化するときに、トラックＮが内部バスをまだ選択していない場合には、未使用の内部バスを自動的に選択する、即ち、ＳＥＬ（Ｎ）を自動的にｏｆｆ以外に設定することになる。既に未使用の内部バスがない場合には、「ｍｕｔｅ→ｐｌａｙ」の変化に変更し、ｐｌａｙ／ｍｕｔｅの２値で変化させる。
【００３７】
なお、フラグＰは、トラックＮのオンイベントからオフイベントまでの間に、他のボタンのオンイベントがあったかどうかを示すフラグであり、他のボタンのオンイベントがあった場合には「Ｐ＝１」の値をとり、他のボタンのオンイベントがなかった場合には「Ｐ＝０」の値をとる。
【００３８】
次に、トラック１指定操作子１０４−１〜トラック８指定操作子１０４−８ならびに入力チャンネル１指定操作子１０２−１〜入力チャンネル８指定操作子１０２−８の操作における各パラメータの変化について説明する。
【００３９】
（１）トラックＮ指定操作子（１０４−１〜１０４−８）を押し下げている状態で、入力チャンネルＭ指定操作子（１０２−１〜１０２−８）を押し下げ押し上げした場合について
トラックＮに音声信号を供給している内部バスＫのある場合には、入力チャンネルＭ指定操作子（１０２−１〜１０２−８）を押し下げる度にｉ（Ｍ，Ｋ）のオン／オフを交互に変化させる。音声信号を供給している内部バスのない場合には、未使用の内部バスＫを選択し、トラックＮに内部バスＫの音声信号を供給し、ｉ（Ｍ，Ｋ）をオンにし、入力チャンネルＭの音声信号を内部バスＫに供給する。既に未使用の内部バスがない場合には、何も変化させない。
【００４０】
（２）トラックＮ１指定操作子（１０４−１〜１０４−８）を押し下げている状態で、他のトラックＮ２指定操作子（１０４−１〜１０４−８）を押し下げた場合について
トラックＮ２に音声信号を供給している内部バスがない場合には、何も変化させない。トラックＮ２に音声信号を供給している内部バスＫ（Ｎ２）があって、トラックＮ１に音声信号を供給している内部バスがない場合には、トラックＮ１に内部バスＫ（Ｎ２）の音声信号を供給する（ＳＥＬ（Ｎ１）に内部バスＫ（Ｎ２）を割り当てる。）。トラックＮ２に音声信号を供給している内部バスＫ（Ｎ２）があって、トラックＮ１に音声信号を供給している内部バスＫ（Ｎ１）があって、この内部バスＫ（Ｎ１）が他の全てのトラックに音声信号を供給していない場合には、内部バスＫ（Ｎ１）を開放（内部バスＫ（Ｎ１）についての全てのバス・セレクト・スイッチをオフする。）し、トラックＮ１に内部バスＫ（Ｎ２）の音声信号を供給する（ＳＥＬ（Ｎ１）に内部バスＫ（Ｎ２）を割り当てる。）。トラックＮ２に音声信号を供給している内部バスＫ（Ｎ２）があって、トラックＮ１に音声信号を供給している内部バスＫ（Ｎ１）があって、この内部バスＫ（Ｎ１）が他のトラックに音声信号を供給している場合には、トラックＮ１に内部バスＫ（Ｎ２）の音声信号を供給する（ＳＥＬ（Ｎ１）に内部バスＫ（Ｎ２）を割り当てる。）。
【００４１】
（３）トラックＮ指定操作子（１０４−１〜１０４−８）を押し下げている状態で、クリアー操作子１０８を押し下げた場合について
ＴＲ（Ｎ）がｐｌａｙあるいはｍｕｔｅで、トラックＮに音声信号を供給している内部バスＫ（Ｎ）があって、この内部バスＫ（Ｎ）が他のトラックに音声信号を供給していない場合には、内部バスＫ（Ｎ）を開放（ＳＥＬ（Ｎ）をオフするとともに、内部バスＫ（Ｎ）についての全てのバス・セレクト・スイッチをオフする。）する。ＴＲ（Ｎ）がｓｏｕｒｃｅあるいはｒｅｃで、トラックＮに音声信号を供給している内部バスＫ（Ｎ）があって、この内部バスＫ（Ｎ）が他のトラックに音声信号を供給していない場合には、内部バスＫ（Ｎ）を開放（ＳＥＬ（Ｎ）をオフするとともに、内部バスＫ（Ｎ）についての全てのバス・セレクト・スイッチをオフする。）し、ＴＲ（Ｎ）をｍｕｔｅに変更する。ＴＲ（Ｎ）がｐｌａｙあるいはｍｕｔｅで、トラックＮに音声信号を供給している内部バスＫ（Ｎ）があって、この内部バスＫ（Ｎ）が他のトラックに音声信号を供給している場合には、内部バスＫ（Ｎ）の音声信号のトラックＮへの供給を停止する（ＳＥＬ（Ｎ）をオフする。）。ＴＲ（Ｎ）がｓｏｕｒｃｅあるいはｒｅｃで、トラックＮに音声信号を供給している内部バスＫ（Ｎ）があって、この内部バスＫ（Ｎ）が他のトラックに音声信号を供給している場合には、内部バスＫ（Ｎ）の音声信号のトラックＮへの供給を停止し（ＳＥＬ（Ｎ）をオフする。）、ＴＲ（Ｎ）をｍｕｔｅに変更する。
【００４２】
次に、フローチャートを参照しながら説明すると、図６にはメイン・ルーチンのフローチャートが示されており、このメイン・ルーチンにおいては、まず、初期値設定の処理（ステップＳ６０２）を行うと、トラック１指定操作子１０４−１〜トラック８指定操作子１０４−８の操作状態のスキャンを行う処理（ステップＳ６０６：なお、ステップＳ６０６においては、簡略化して「出力キーのスキャン」と記す。）および入力チャンネル１指定操作子１０２−１〜入力チャンネル８指定操作子１０２−８の操作状態のスキャンを行う処理（ステップＳ６０８：なお、ステップＳ６０８においては、簡略化して「入力キーのスキャン」と記す。）以外のサブ・ルーチンの処理（ステップＳ６０４）を行う。
【００４３】
ステップＳ６０４の処理を終了すると、トラック１指定操作子１０４−１〜トラック８指定操作子１０４−８の操作状態のスキャンを行う処理（ステップＳ６０６）を行って、さらに、入力チャンネル１指定操作子１０２−１〜入力チャンネル８指定操作子１０２−８の操作状態のスキャンを行う処理（ステップＳ６０８）を行うと、ステップＳ６０４へ戻り処理を繰り返す。
【００４４】
図７には、サブ・ルーチンとしてステップＳ６０６におけるトラック１指定操作子１０４−１〜トラック８指定操作子１０４−８の操作状態のスキャンを行う処理が示されているが、まず、変数Ｎに０をセットし（ステップＳ７０２）、それから変数Ｎを１インクリメントする（ステップＳ７０４）する。
【００４５】
そして、トラックＮのスキャンを行う処理（ステップＳ７０６：なお、ステップＳ７０６においては、簡略化して「出力キーＮ番のスキャン」と記す。）を行った後に、「Ｎ＝８」であるか否かを判断し（ステップＳ７０８）、「Ｎ＝８」でない場合にはステップＳ７０４へ戻って処理を繰り返し、「Ｎ＝８」である場合にはメイン・ルーチンへリターンする。
【００４６】
なお、以後の説明においては、「トラックＮ＝ｏｎ」は出力チャンネルＮ指定操作子のオンイベント、「トラック＝ｏｆｆ」は出力チャンネルＮ指定操作子のオフイベント、「入力チャンネルＭ＝ｏｎ」は入力チャンネルＭ指定操作子のオンイベントを示す。
【００４７】
図８には、サブ・ルーチンとしてステップＳ７０６におけるトラックＮのスキャンを行う処理が示されているが、まず、「トラックＮ＝ｏｎ」であるか否かを判断し（ステップＳ８０２）、「トラックＮ＝ｏｎ」でないと判断された場合には、そのまま図７に示すサブ・ルーチンへリターンする。
【００４８】
一方、ステップＳ８０２において、「トラックＮ＝ｏｎ」であると判断された場合には、フラグＰに０をセットし（ステップＳ８０４）、２キー押しのスキャンを行う処理を実行する（ステップＳ８０５）。
【００４９】
図９には、サブルーチンとしてステップＳ８０５における２キー押しのスキャンを行う処理が示されているが、まず、変数Ｍに０をセットし（ステップＳ８０６）、それから変数Ｍを１インクリメントする（ステップＳ８０８）。
【００５０】
これらの処理は、ステップＳ８２６と対になって、変数Ｍを１から８までカウントアップさせる。
【００５１】
次に、ステップＳ８１０〜ステップＳ８１４を参照して、出力チャンネルＮ指定操作子が押されている間に入力チャンネルＭ指定操作子が押された場合の動作を説明する。
【００５２】
即ち、「入力チャンネルＭ＝ｏｎ」であるか否かを判断し（ステップＳ８１０）、「入力チャンネルＭ＝ｏｎ」である場合には、選択処理（ステップＳ８１２）を行ってから、フラグＰに１をセットする（ステップＳ８１４）。
【００５３】
ステップＳ８１４の処理を終了した場合、または、ステップＳ８１０において「入力チャンネルＭ＝ｏｎ」でないと判断された場合には、ステップＳ８１６へ進み、「Ｍ＝Ｎ」であるか否かを判断する。
【００５４】
次に、ステップＳ８１６〜ステップＳ８２４を参照して、出力チャンネルＮ指定操作子が押されている間に出力チャンネルＭ指定操作子が押された場合の動作を説明する。
【００５５】
即ち、ステップＳ８１６において、「Ｍ＝Ｎ」でないと判断された場合には、「トラックＭ＝ｏｎ」であるか否かを判断し（ステップＳ８１８）、ここで、「トラックＭ＝ｏｎ」であると判断された場合には、「ＳＥＬ（Ｍ）＝ｏｆｆ」であるか否かを判断する（ステップＳ８２０）。
【００５６】
そして、ステップＳ８２０において、「ＳＥＬ（Ｍ）＝ｏｆｆ」でないと判断された場合には、クリアー処理（ステップＳ８２２）を行ってから、ＳＥＬ（Ｎ）にＳＥＬ（Ｍ）をセットすることにより、後から押された出力チャンネルＭ指定操作子によって指示されるＳＥＬ（Ｍ）によって選択されているバスを割り当て、フラグＰに１をセットする（ステップＳ８２４）。
【００５７】
ステップＳ８２４の処理を終了した場合、ステップＳ８１６において「Ｍ＝Ｎ」であると判断された場合、ステップＳ８１８において「トラックＭ＝ｏｎ」でないと判断された場合ならびに「ＳＥＬ（Ｍ）＝ｏｆｆ」であると判断された場合には、ステップＳ８２６へ進み、「Ｍ＝８」であるか否かを判断する。
【００５８】
ステップＳ８２６において、「Ｍ＝８」でないと判断された場合には、ステップＳ８０８へ戻り、「Ｍ＝８」であると判断された場合には、この２キー押しのスキャンを行う処理のサブルーチンを終了して、図８のトラックＮのスキャンを行う処理のステップＳ８２８へ進み、クリアー操作子１０８がオンであるか否かを判断する。
【００５９】
次に、ステップＳ８２８〜ステップＳ８３６を参照して、出力チャンネルＮ指定操作子が押されている間にクリアー操作子が押された場合の動作を説明する。
ステップＳ８２８においてクリアー操作子１０８がオンであると判断された場合には、クリアー処理（ステップＳ８３０）を行ってから、フラグＰに１をセットし（ステップＳ８３２）、「ＴＲ（Ｎ）＝ｐｌａｙ」であるか否かを判断する（ステップＳ８３４）。
【００６０】
ステップＳ８３４において、「ＴＲ（Ｎ）＝ｐｌａｙ」でないと判断された場合には、「ＴＲ（Ｎ）＝ｍｕｔｅ」に設定し、ステップＳ８３８へ進む。
【００６１】
また、ステップＳ８２８においてクリアー操作子１０８がオンでないと判断された場合ならびにステップＳ８３４において「ＴＲ（Ｎ）＝ｐｌａｙ」であると判断された場合にも、ジャンプしてステップＳ８３８へ進む。
【００６２】
ステップＳ８３８においては、「トラックＮ＝ｏｆｆ」であるか否かを判断し、「トラックＮ＝ｏｆｆ」がないと判断された場合にはステップＳ８０６へ戻り、「トラックＮ＝ｏｆｆ」があると判断された場合にはステップＳ８４０へ進んで「Ｐ＝０」であるか否かを判断する。
【００６３】
ステップＳ８４０において、「Ｐ＝１」であると判断された場合には、出力チャンネルＮ指定操作子が押されている間に入力チャンネルＭ指定操作子または出力チャンネルＭ指定操作子またはクリアー操作子が押されたものとして、そのまま図７に示すサブ・ルーチンへリターンする。
【００６４】
一方、ステップＳ８４０において、「Ｐ＝０」であると判断された場合には、出力チャンネルＮ指定操作子が押されている間に入力チャンネルＭ指定操作子または出力チャンネルＭ指定操作子またはクリアー操作子が押されなかったものとして、サイクリック変化の処理のサブ・ルーチンを実行してから（ステップＳ８４２）、図７に示すサブ・ルーチンへリターンする。
【００６５】
図１０には、サブ・ルーチンとしてステップＳ８１２における選択処理が示されているが、この処理において変数Ｋは内部バスの番号を示し、変数Ｊは出力のチャンネル番号を示す。
【００６６】
まず、「ＳＥＬ（Ｎ）＝ｏｆｆ」であるか否かを判断し（ステップＳ１００２）、「ＳＥＬ（Ｎ）＝ｏｆｆ」であると判断された場合には変数Ｋに０をセットする（ステップＳ１００４）。
【００６７】
次に、ステップＳ１００６〜ステップＳ１０１６を参照して、未使用の内部バスを選択する動作を説明する。
【００６８】
まず、変数Ｋを１インクリメントするとともに変数Ｊに０をセットし（ステップＳ１００６）、「Ｋ＝５」であるか否かを判断する（ステップＳ１００８）。
ステップＳ１００８において、「Ｋ＝５」であると判断された場合には、図８に示すサブ・ルーチンへリターンし、「Ｋ＝５」でないと判断された場合には、変数Ｊを１インクリメントする（ステップＳ１０１０）。
【００６９】
それから、「ＳＥＬ（Ｊ）＝Ｋ」であるか否かを判断し（ステップＳ１０１２）、「ＳＥＬ（Ｊ）＝Ｋ」であると判断された場合にはステップＳ１００６へ戻り、「ＳＥＬ（Ｊ）＝Ｋ」でないと判断された場合には「Ｊ＝８」であるか否かを判断する（ステップＳ１０１４）。
【００７０】
ステップＳ１０１４において、「Ｊ＝８」でないと判断された場合にはステップＳ１０１０へ戻り、「Ｊ＝８」であると判断された場合にはステップＳ１０１６へ進み、「ＳＥＬ（Ｎ）＝Ｋ」、「ｉ（Ｍ，ＳＥＬ（Ｎ））＝ｏｎ」および「ＴＲ（Ｎ）＝ｓｏｕｒｃｅ」と設定してから、図８に示すサブ・ルーチンへリターンする。
【００７１】
一方、ステップＳ１００２において、「ＳＥＬ（Ｎ）＝ｏｆｆ」でないと判断された場合には、「ｉ（Ｍ，ＳＥＬ（Ｎ））＝ｏｎ」であるか否かを判断し（ステップＳ１０１８）、「ｉ（Ｍ，ＳＥＬ（Ｎ））＝ｏｎ」であると判断された場合には、「ｉ（Ｍ，ＳＥＬ（Ｎ））＝ｏｆｆ」としてから（ステップＳ１０２０）、図８に示すサブ・ルーチンへリターンし、「ｉ（Ｍ，ＳＥＬ（Ｎ））＝ｏｎ」でないと判断された場合には、「ｉ（Ｍ，ＳＥＬ（Ｎ））＝ｏｎ」としてから（ステップＳ１０２２）、図８に示すサブ・ルーチンへリターンする。
【００７２】
次に、図１１を参照しながら、出力トラックＮにおいて使用されなくなった内部バスが他の出力トラックＪにおいて使用されているかをしらべ、全ての他の出力トラックＪにおいて使用されていない場合、その内部バスに関わるバスセレクトスイッチｉ（Ｍ、ＳＥＬ（Ｎ））をオフするための動作を説明する。
【００７３】
このフローチャートにおいて、変数Ｊは、他の出力トラックを表す１〜８の値をとする変数である。
【００７４】
図１１には、サブ・ルーチンとしてステップＳ８２２ならびにステップＳ８３０におけるクリアー処理が示されているが、まず、変数Ｊに０をセットしてから（ステップＳ１１０２）、変数Ｊを１インクリメントし（ステップＳ１１０４）、それから、「Ｎ＝Ｊ」であるか否かを判断する（ステップＳ１１０６）。
【００７５】
ステップＳ１１０６において、「Ｎ＝Ｊ」でないと判断された場合には、「ＳＥＬ（Ｎ）＝ＳＥＬ（Ｊ）」であるか否かを判断し（ステップＳ１１０８）、「ＳＥＬ（Ｎ）＝ＳＥＬ（Ｊ）」でないと判断された場合にはステップＳ１１１０へ進む。
【００７６】
一方、ステップＳ１１０６において、「Ｎ＝Ｊ」であると判断された場合には、ステップＳ１１１０へジャンプして進む。
【００７７】
ステップＳ１１１０においては、「Ｊ＝８」であるか否かを判断し、「Ｊ＝８」でないと判断された場合にはステップＳ１１０４へ戻り、「Ｊ＝８」であると判断された場合にはステップＳ１１１２へ進み、ｉ（１，ＳＥＬ（Ｎ））、ｉ（２，ＳＥＬ（Ｎ））、ｉ（３，ＳＥＬ（Ｎ））、ｉ（４，ＳＥＬ（Ｎ））、ｉ（５，ＳＥＬ（Ｎ））、ｉ（６，ＳＥＬ（Ｎ））、ｉ（７，ＳＥＬ（Ｎ））およびｉ（８，ＳＥＬ（Ｎ））をオフにし、それからステップＳ１１１４へ進む。
【００７８】
一方、ステップＳ１１０８において、「ＳＥＬ（Ｎ）＝ＳＥＬ（Ｊ）」であると判断された場合にも、ステップＳ１１１４へ進む。
【００７９】
ステップＳ１１１４では、ＳＥＬ（Ｎ）をオフにして、図８に示すサブ・ルーチンへリターンする。
【００８０】
次に、図１２を参照しながら、出力チャンネルＮ指定操作子が単独で押し下げ押し上げされた場合の動作を説明する。
【００８１】
図１２には、サブ・ルーチンとしてステップＳ８４２におけるサイクリック変化の処理が示されているが、まず、変数ＳにＴＲ（Ｎ）をセットし（ステップＳ１２０２）、「Ｓ＝ｓｏｕｒｃｅ」であるか否かを判断して（ステップＳ１２０４）、「Ｓ＝ｓｏｕｒｃｅ」であると判断された場合には、ステップＳ１２０６へ進んでＴＲ（Ｎ）にｒｅｃをセットしてからステップＳ１２０８へ進み、「Ｓ＝ｓｏｕｒｃｅ」でないと判断された場合には、ジャンプしてステップＳ１２０８へ進む。
【００８２】
ステップＳ１２０８においては、「Ｓ＝ｒｅｃ」であるか否かを判断して、「Ｓ＝ｒｅｃ」であると判断された場合には、ステップＳ１２１０へ進んでＴＲ（Ｎ）にｐｌａｙをセットしてからステップＳ１２１２へ進み、「Ｓ＝ｐｌａｙ」でないと判断された場合には、ジャンプしてステップＳ１２１２へ進む。
【００８３】
ステップＳ１２１２においては、「Ｓ＝ｐｌａｙ」であるか否かを判断して、「Ｓ＝ｐｌａｙ」であると判断された場合には、ステップＳ１２１４へ進んでＴＲ（Ｎ）にｍｕｔｅをセットしてからステップＳ１２１６へ進み、「Ｓ＝ｐｌａｙ」でないと判断された場合には、ジャンプしてステップＳ１２１６へ進む。
【００８４】
ステップＳ１２１６においては、「Ｓ＝ｍｕｔｅ」であるか否かを判断して、「Ｓ＝ｍｕｔｅ」であると判断された場合には、ステップＳ１２１８へ進んでＴＲ（Ｎ）にｓｏｕｒｃｅをセットしてからステップＳ１２２０へ進み、「Ｓ＝ｍｕｔｅ」でないと判断された場合には、ジャンプしてステップＳ１２２０へ進む。
【００８５】
ステップＳ１２２０においては、ＳＥＬ（Ｎ）がオフであるか否かが判断され、ＳＥＬ（Ｎ）がオフであると判断された場合には、内部バス選択処理（ステップＳ１２２２）を行ってから図８に示すサブ・ルーチンへリターンし、ＳＥＬ（Ｎ）がオフでないと判断された場合には、そのまま図８に示すサブ・ルーチンへリターンする。
【００８６】
次に、図１３を参照しながら、出力チャンネルＮ指定操作子が単独で押し下げ押し上げられた場合に、ＴＲ（Ｎ）（トラックＮにおけるレコーダー部の状態）が「ｍｕｔｅ」から「ｓｏｕｒｃｅ」に変化した場合の未使用の内部バスを選択する動作を説明する。
【００８７】
この処理において、変数Ｋは内部バスの番号を示し、変数Ｊは出力のチャンネル番号を示す。
【００８８】
図１３には、サブ・ルーチンとしてステップＳ１２２２における内部バス選択処理が示されているが、まず、変数Ｋに０をセットしてから（ステップＳ１３０２）、変数Ｋを１インクリメントするとともに変数Ｊに０をセットし（ステップＳ１３０４）、「Ｋ＝５」であるか否かを判断する（ステップＳ１３０６）。
【００８９】
ステップＳ１３０６において、「Ｋ＝５」であると判断された場合には、ＴＲ（Ｎ）にｐｌａｙをセットしてから（ステップＳ１３１６）、図１２に示すサブ・ルーチンへリターンし、「Ｋ＝５」でないと判断された場合には、変数Ｊを１インクリメントする（ステップＳ１３０８）。
【００９０】
それから、「ＳＥＬ（Ｊ）＝Ｋ」であるか否かを判断し（ステップＳ１３１０）、「ＳＥＬ（Ｊ）＝Ｋ」であると判断された場合にはステップＳ１３０４へ戻り、「ＳＥＬ（Ｊ）＝Ｋ」でないと判断された場合には「Ｊ＝８」であるか否かを判断する（ステップＳ１３１２）。
【００９１】
ステップＳ１３１２において、「Ｊ＝８」でないと判断された場合にはステップＳ１３０８へ戻り、「Ｊ＝８」であると判断された場合にはステップＳ１３１４へ進み、「ＳＥＬ（Ｎ）＝Ｋ」と設定してから、図１２に示すサブ・ルーチンへリターンする。
【００９２】
一方、ステップＳ１００２において、「ＳＥＬ（Ｎ）＝ｏｆｆ」でないと判断された場合には、「ｉ（Ｍ，ＳＥＬ（Ｎ））＝ｏｎ」であるか否かを判断し（ステップＳ１０１８）、「ｉ（Ｍ，ＳＥＬ（Ｎ））＝ｏｎ」であると判断された場合には、「ｉ（Ｍ，ＳＥＬ（Ｎ））＝ｏｆｆ」としてから（ステップＳ１０２０）、図８に示すサブ・ルーチンへリターンし、「ｉ（Ｍ，ＳＥＬ（Ｎ））＝ｏｎ」でないと判断された場合には、「ｉ（Ｍ，ＳＥＬ（Ｎ））＝ｏｎ」としてから（ステップＳ１０２２）、図８に示すサブ・ルーチンへリターンする。
【００９３】
次に、図１４を参照しながら、入力チャンネルＭ指定操作子が単独で押し下げ押し上げされた場合の動作を説明する。
【００９４】
なお、出力キーのスキャン（ステップＳ６０６）において、出力チャンネルＮ指定操作子の「トラックＮ＝ｏｎ」を検出しなかったか、または「トラックＮ＝ｏｆｆ」を検出した状態でなければ、入力キーのスキャン（ステップＳ６０８）を経てこの処理ルーチンに入ってくることはできないので、この処理ルーチンでは入力チャンネルＭ指定操作子が単独で押し下げ押し上げされた場合の判断と処理を行うことができる。
【００９５】
図１４には、サブ・ルーチンとしてステップＳ６０８における入力チャンネル１指定操作子１０２−１〜入力チャンネル８指定操作子１０２−８の操作状態のスキャンを行う処理が示されているが、まず、変数Ｍに０をセットし（ステップＳ１４０２）、それから変数Ｍを１インクリメントする（ステップＳ１４０４）する。
【００９６】
そして、入力チャンネルＭのスキャンを行う処理（ステップＳ１４０６：なお、ステップＳ１４０６においては、簡略化して「入力Ｍ番のスキャン」と記す。）を行った後に、「Ｍ＝８」であるか否かを判断し（ステップＳ１４０８）、「Ｍ＝８」でない場合にはステップＳ１４０４へ戻って処理を繰り返し、「Ｍ＝８」である場合にはメイン・ルーチンへリターンする。
【００９７】
図１５には、サブ・ルーチンとしてステップＳ１４０６における入力チャンネルＭのスキャンを行う処理が示されているが、まず、「入力チャンネルＭ＝ｏｎ」であるか否かを判断し（ステップＳ１５０２）、「入力チャンネルＭ＝ｏｎ」でない場合には、そのまま図１４に示すサブ・ルーチンへリターンする。
【００９８】
一方、「入力チャンネルＭ＝ｏｎ」である場合には、Ｇ（Ｍ）にｍｉｃが設定されているか否かを判断し（ステップＳ１５０４）、Ｇ（Ｍ）にｍｉｃが設定されていると判断された場合にはステップＳ１５０６へ進み、Ｇ（Ｍ）にｌｉｎｅを設定してから図１４に示すサブ・ルーチンへリターンし、Ｇ（Ｍ）にｍｉｃが設定されていないと判断された場合にはステップＳ１５０８へ進み、Ｇ（Ｍ）にｍｉｃを設定してから図１４に示すサブ・ルーチンへリターンする。
【００９９】
この実施の形態においては、使用者が出力チャンネルＮ指定操作子を単独で押し下げ押し上げを繰り返し、ＴＲ（Ｎ）（トラックＮにおけるレコーダー部の状態）を「ｐｌａｙあるいはｍｕｔｅ」から「ｓｏｕｒｃｅあるいはｒｅｃ」に変化したとき（具体的には、「ｍｕｔｅ」から「ｓｏｕｒｃｅ」に変化したとき）、未使用の内部バスを選択するようにしたが、同様に、使用者が出力チャンネルＮ指定操作子を単独で押し下げ押し上げを繰り返し、ＴＲ（Ｎ）（トラックＮにおけるレコーダー部の状態）を「ｐｌａｙあるいはｍｕｔｅ」から「ｓｏｕｒｃｅあるいはｒｅｃ」に変化したとき（具体的には、「ｐｌａｙ」から「ｒｅｃ」に変化したとき）、出力トラックＮにおいて使用されていた内部バスＳＥＬ（Ｎ）が他の出力トラックＪにおいて使用されているかをしらべ、すべての他の出力トラックＪにおいて使用されていない場合その内部バスに関わるバスセレクトスイッチｉ（Ｍ、ＳＥＬ（Ｎ））をオフし、それとともにＳＥＬ（Ｎ）をｏｆｆして内部バスＳＥＬ（Ｎ）を開放（再使用可能）にしてもよい。
【０１００】
また、この実施の形態においては、使用者が入力チャンネルＭ指定操作子を単独で押し下げ押し上げを行った場合（即ち、「入力チャンネルＭ＝ｏｎ」のイベントを受けたとき）、Ｇ（Ｍ）により入力チャンネルの増幅率の変更（機能切り換え）を行うようにしたが、この機能切り換えは入力チャンネルに関わるものであれば何でもよく、入力チャンネル毎にエフェクターやイコライザーなどを備えるミキサーであれば、各入力チャンネル毎のエフェクターやイコライザーの機能を切り換えるものであってもよい。
【０１０１】
【発明の効果】
本発明は、以上説明したように構成されているので、信号伝達経路の数を出力チャンネルの数より少なくし、かつ、信号伝達経路と出力チャンネルとの接続を自由に行えるようにして、ミキサー内部における音声信号伝達経路の選択の自由度を向上させるとともに、ミキサー内部における信号伝達経路のなかで未使用のものを自動的に選択するようにして、信号伝達経路の選択の自由度を制限することなく、しかも信号伝達経路の選択の際の操作性を向上させることができるという優れた効果を奏する。
【図面の簡単な説明】
【図１】従来のミキサーの一例を示す回路構成図である。
【図２】従来のミキサーの他の例を示す回路構成図である。
【図３】本発明によるミキサーの実施の形態の一例を備えた楽音信号記録装置の全体構成を表すブロック構成図である。
【図４】ミキサー部の回路構成図である。
【図５】操作パネルの概略構成説明図である。
【図６】メイン・ルーチンのフローチャートである。
【図７】トラック１指定操作子〜トラック８指定操作子の操作状態のスキャンを行う処理のフローチャートである。
【図８】トラックＮのスキャンを行う処理のフローチャートである。
【図９】２キー押しのスキャンを行う処理のフローチャートである。
【図１０】選択処理のフローチャートである。
【図１１】クリアー処理のフローチャートである。
【図１２】サイクリック変化の処理のフローチャートである。
【図１３】内部バス選択処理の処理のフローチャートである。
【図１４】入力チャンネル１指定操作子〜入力チャンネル８指定操作子の操作状態のスキャンを行う処理のフローチャートである。
【図１５】入力チャンネルＭのスキャンを行う処理のフローチャートである。
【符号の説明】
１０          中央処理装置（ＣＰＵ）
１１          バス
１２          リード・オンリ・メモリ（ＲＯＭ）
１４          ランダム・アクセス・メモリ（ＲＡＭ）
１６          ミキサー部
１８          レコーダー部
２０          操作パネル
【図１】
0004077064.tif 000002
【図２】
0004077064.tif 000003
【図３】
0004077064.tif 000004
【図４】
0004077064.tif 000005
【図５】
0004077064.tif 000006
【図６】
0004077064.tif 000007
【図７】
0004077064.tif 000008
【図８】
0004077064.tif 000009
【図９】
0004077064.tif 000010
【図１０】
0004077064.tif 000011
【図１１】
0004077064.tif 000012
【図１２】
0004077064.tif 000013
【図１３】
0004077064.tif 000014
【図１４】
0004077064.tif 000015
【図１５】
0004077064.tif 000016